(57)【特許請求の範囲】
【請求項１】
キー等の引き込み装置であって、回転するようハウジングに装着されたリールを備えた該ハウジングと、前記リール用の引き込みばねと、前記リールに担持されたケーブルであって、前記ケーブルの内端が前記リールに接続されているケーブルと、前記ケーブルの外端に担持されたケーブル端装具とを有する引き込み装置において、
前記装具が前記ケーブルを受け入れる寸法の内端と、前記装具を前記ケーブルに保持するケーブル端部を受け入れる寸法のより大きな外端とを備えた軸線方向の通路を有し、
前記装具が内端と、中央部分と、外端とを有し、前記中央部分が前記内端および前記外端よりも断面がより小さく、
前記ハウジングが第１のより小さい幅の部分と、第２のより大きな幅の部分とを有する出口開口を形成する手段を有し、前記第１のより小さい幅の部分が前記装具の前記中央部分を受け入れる寸法であるが、前記内端と外端とは受け入れない寸法であり、前記第２のより大きな幅の部分が前記装具の前記内端を受け入れる寸法であり、
そのため、前記装具の前記内端が前記出口開口の前記より大きな幅の部分を通過し、前記装具の前記中央部分を前記出口開口の前記より小さい幅の部分において位置づけることが可能で、前記装具の前記外端が前記ハウジングと係合し、前記装具が前記ハウジング中へ運動するのを制限することを改良点とすることを特徴とするキー等の引き込み装置。
【請求項２】
前記装具の前記内端が球形であり、前記出口開口の前記第１のより小さい幅の部分が前記装具の内端を受け入れるよう凹形状であることを特徴とする請求項１に記載の装置。
【請求項３】
前記出口開口の前記第１のより小さい幅の部分が前記リールの半径に沿って位置し、前記出口開口の前記第２のより大きな幅の部分が前記リールの接線方向に沿って位置していることを特徴とする請求項２に記載の装置。
【請求項４】
前記出口開口の前記第１のより小さい幅の部分が前記リールの半径に沿って位置し、前記出口開口の前記第２のより大きな幅の部分が前記リールの接線方向に沿って位置していることを特徴とする請求項１に記載の装置。
【請求項５】
前記ケーブルと前記リールとの周りに位置づけられたダストシールドであって、該シールドが管状であり、前記ケーブルがリールから繰り出されたり、前記リールに巻き上げられるにつれて前記ケーブルが通過する周方向開口を備えているダストシールドを含むことを特徴とする請求項１に記載の装置。
【請求項６】
前記ダストシールドの外側にある周方向リブであって、前記周方向開口が該周方向リブにおいて、前記リールに対して概ね接線方向に位置している周方向リブを含むことを特徴とする請求項５に記載の装置。
【請求項７】
前記ダストシールドが前記リールにおいて回転するにつれて前記ケーブルのハウジングに出来る空隙スロットを含むことを特徴とする請求項６に記載の装置。
【請求項８】
キー等の引き込み装置であって、回転するようハウジングに装着されたリールを備えた該ハウジングと、前記リールのための引き込みばねと、前記リールに担持されたケーブルであって、内端が前記リールに接続されているケーブルと、前記ケーブルの外端に担持されたケーブル端装具とを有する引き込み装置において、
前記装具が内端と、中央部分と、外端とを有し、前記中央部分は断面が前記内端および前記外端より小さく、
前記ハウジングが第１のより小さい幅の部分と第２のより大きな幅の部分とを有する出口開口を形成する手段を有し、前記より小さい幅の部分が前記装具の前記中央部分は受け入れるが、前記内端と外端とは受け入れない寸法であり、前記第２のより大きな幅部分が前記装具の前記内端を受け入れる寸法であり、
そのため、前記装具の前記内端が前記出口開口の前記より大きな幅の部分を通過し、前記装具の前記中央部分を前記出口開口の前記より小さい幅の部分に位置づけることが可能で、前記装具の前記外端が前記ハウジングと係合し、前記装具の前記ハウジング中への運動を制限することが可能であることを特徴とするキー等の引き込み装置。
【請求項９】
前記装具の前記内端が球形であり、前記出口開口の前記第１のより小さい幅部分が前記装具の内端を受け入れる凹形状であることを特徴とする請求項８に記載の装置。
【請求項１０】
前記出口開口の前記第１のより小さい幅の部分が前記リールの半径に沿って位置し、前記出口開口の前記第２のより大きい幅の部分が前記リールの接線に沿って位置することを特徴とする請求項９に記載の装置。
【請求項１１】
前記出口開口の前記第１のより小さい幅の部分が前記リールの半径に沿って位置し、前記出口開口の前記第２のより大きい幅の部分が前記リールの接線に沿って位置することを特徴とする請求項８に記載の装置。
【請求項１２】
前記ケーブルと前記リールとの周りに位置づけられたダストシールドであって、該シールドが管状であり、前記ケーブルがリールから繰り出され、かつ前記リールに巻き上げられるにつれて前記ケーブルを通す周方向開口を備えたダストシールドを含むことを特徴とする請求項８に記載の装置。
【請求項１３】
前記ダストシールドの外側にある周方向リブであって、前記周方向開口が前記周方向リブに位置し、前記リールに対して概ね接線方向にある周方向リブを含むことを特徴とする請求項１２に記載の装置。
【請求項１４】
前記ダストシールドが前記リール上で回転するにつれて前前記ケーブルが通る空隙スロットを前記ハウジングにおいて含むことを特徴とする請求項１３に記載の装置。
【請求項１５】
前記出口開口が前記ハウジングの周りを周方向に延び、前記ケーブルが前記リールに対して接線方向に配向されている前記リールの直ぐ下の第１の位置と前記ケーブルが前記リールに対して接線方向に配向されている前記リールより上の第２の位置との間で前記ケーブル装具が運動出来るようにすることを特徴とする請求項８に記載の装置。
【請求項１６】
キー等の引き込み装置であって、回転するようハウジングに装着したリールを備えた該ハウジングと、前記リール用の引き込みばねと、前記リールに巻かれたケーブルであって、内端が前記リールに接続されたケーブルと、前記ケーブルの外端に取り付けられたケーブル装具とを有する引き込み装置において、
前記ハウジングが、前記ケーブルを受け入れるが前記装具の外端は受け入れない寸法とされた出口開口を形成する手段を有することによって、前記装具の前記外端が前記ハウジングと係合し、前記ハウジング中への前記装具の運動を制限し、
前記出口開口が前記ハウジングの周りで周方向に延び、ケーブルがリールに対して接線方向に配向されている前記リールの直ぐ下の第１の位置と前記ケーブルが前記リールに対して接線方向に向いている前記リールの上の第２の位置との間で前記ケーブル装具が運動出来るようにしており、
前記ケーブルと前記リールの周りに位置づけられたダストシールドであって、該シールドが管状であり、前記ケーブルが前記リールから繰り出され、かつ前記リールに巻き上げられるにつれて前記ケーブルを通すようにする周囲開口を備えているダストシールドを含むことを改良点とする引き込み装置。
【請求項１７】
前記ダストシールドの外側に位置した周方向リブであって、周方向開口が前記周方向リブにおいて前記リールに対して概ね接線方向に位置している周方向リブを含むことを特徴とする請求項１６に記載の装置。
【発明の詳細な説明】
【０００１】
（発明の背景）
本発明は、キー、タッグ、アクセスカード等を保持し、かつ引き込ませるために今日広く使用されており、しばしばキーリールと称される引き込み装置に関する。従来のキーリールはチェインあるいはケーブルを備え、リールとばねとがハウジングに担持されている。所望により、キーあるいはキーリングあるいはカードあるいはその他の対象物を取り付けるために装具がチェインあるいはケーブルの外端に担持されている。使用時、当事者はキーを引張り、リールからケーブルを繰り出す。この作業が終了すると、当事者はキーを解放し、ばねは自動的にリール上のケーブルをハウジング中へ巻き上げる。
【０００２】
従来の構成においては、ケーブルはリールから送り出され、概ね９０度曲げられてハウジングから送られる。このように繰返してテンションを受けて曲げられるとケーブルの寿命は著しく低下する。当該分野ではチェインの破損、特にステンレス鋼のケーブルに対して問題が発生した。
【０００３】
本発明の目的はリールからの繰り出しおよび巻き取りの間ケーブルが９０度曲げられるのを概ね排除した新規で改良された引き込み装置を提供することである。特に、本発明の目的はケーブルの摩耗および破損を低減するため繰り出しおよび巻き取りの双方の間リールに対して接線方向にケーブルを保持するような構造を提供することである。
【０００４】
本発明の別の目的は非使用状態の間ケーブルに対する応力を低減するケーブルの休止位置を提供することである。
【０００５】
ケーブルの摩耗に関わる別の問題が前記引き込み装置がダスト、湿気およびケーブルの寿命に対して有害なその他の物質が介在する雰囲気において使用されることが多いという事実から発生する。従って、本発明の別の目的はハウジング内で運動可能で、ケーブルが休止位置にあり、かつケーブルが繰り出し位置および巻き上げ位置にあるときケーブルを保護するダストシールドを組み込んだ新規で改良された構造を提供することである。本発明のその他の目的、特徴、利点および成果は以下の説明の過程でより完全に明らかとなる。
【０００６】
(発明の要約)
要約すれば、本発明はケーブルの摩耗および破損を低減するために巻き上げおよび繰り出しの双方の間ケーブルをリールに対して接線方向に保持する構造を有するキーチェイン用の引き込み可能リールに関する。本発明はまた、非使用時ケーブルを所定位置に固定するケーブル装具のボールを受け入れる休止受入れ容器を含む。
【０００７】
ダストシールドはハウジング内でケーブルとリールとの周りに位置づけられることが好ましい。ダストシールドは管状で、ケーブルの巻き上げ、繰り出しの間ケーブルを通す周囲開口を備えている。また、ハウジングのスロットと摺動係合するようシールドの外側に周方向リブを設けることが出来る。
【０００８】
使用時、装具は開口のより大きな部分を通して外向きに出されるよう上記休止受入れ容器から出され、このような配置により、ケーブルは繰り出しおよび巻き上げの双方の間リールに対して接線方向とされる。ケーブルがリールに巻き上げられると、使用者はケーブルの装具を出口開口のより小さい部分中へ運動させ、ケーブルに対する応力を解放する。
【０００９】
（好適実施例の説明）
キーリール１１用の引き込み装置が作業者のベルトに取り付けられた状態で図１に示されている。引き込み装置はねじ１５によって接合されたハウジング半体１３、１４から形成されたハウジング１２を含む。従来のベルトクリップ(図示せず)を取り付けるためにねじ１５Ａを設ければ良い。リール１６が従来の要領でばね(図示せず)と共にハウジングに取り付けられる。ケーブル１７が内端をリールに接続し、ケーブル装具１８をケーブルの外端に接続させてリールに巻き上げられている。典型的なボール１９であるケーブルの端部が、ケーブルを前記装具の中央通路２２を通した状態でケーブルの外端に固定されている。装具の通路の外端はボール１９を受け入れるに十分大きくされており、一方前記通路の中央部分はボールを通すことが出来ず、そのため装具をケーブル上で保持している。典型的には、リング２１あるいはその他の保持装置を受け入れるために、典型的には横方向開口２０が上記装具の外端に隣接して設けられている。ここまで説明した構造は従来からのものであって、当該産業分野で広く使用されている。
【００１０】
ハウジングの下端２６には出口開口２５が設けられている。出口開口はより小さい幅の第１の部分２７とより幅の大きな第２の部分２８とを有している。装具１８は内端３１と、中央部分３２と、外端３３とを有している。中央部分３２は断面が内端と外端より小さい。典型的には、装具は円筒形であり、内端３１が球形で、出口開口２５の第１の部分２７が図４から最良に判るように球形の端部を受け入れるよう凹型形状とされている。上記装具を貫通する通路の内端は図４から最良に判るように円錐形であり、ケーブルが装具から出て行く際のケーブルの何れかの鋭い屈曲部を排除することが好ましい。
【００１１】
上記出口開口の第１の部分２７はリールの半径に沿って指向され、図３および図４から判るように第２の部分２８はリールに対して接線方向に指向されることが好ましい。
【００１２】
このような構造により、上記装具の内端３１は出口開口のより幅の大きな部分２８を通過可能で、図４において実線で示すように装具の中央部分３２を出口開口のより幅の小さい部分で位置づける。このような状態において、装具の外端３３がハウジングと係合することによってケーブルの外端がハウジング中へ入らないように阻止する。また、装具の内端３１が出口開口の第１の部分２７の内端と係合することによってケーブルが繰り出されないように阻止する。従って、対象物をケーブルの端に取り付けた状態で利用したくない場合、ケーブルのしっかりした休止位置が提供される。
【００１３】
ケーブルを繰り出したい場合、使用者は装具を半径内方に動かし、装具を幅のより小さい第１の部分から持ち上げることによって装具がより幅の大きな第２の部分２８中へ旋回出来るようにする。次いで、装具が上記部分２８を通して引張られケーブルを所望量だけ繰り出す。この作業において、ケーブルは該ケーブルをリールに対して概ね接する状態で引張られ、ケーブルにおける曲げ応力を著しく低減させる。使用者がキーあるいはその他の対象物の使用が終了すると、使用者は対象物を解放すればよく、引き込み装置は自動的にケーブルをリールに巻き上げる。装具が出口開口部分２８へ入ると、装具がハウジングと接触してリールへの巻き上げを停止する。次いで、使用者は装具を図４において実線で示す位置へ動かせて、使用すなわち作業を終了する。
【００１４】
ケーブルとリールとの周りでハウジングにダストシールド３６が位置づけられる。ダストシールドは管状で、周方向開口３７がケーブルがリール１６から繰り出されたり、リールに巻き上げられるに際にケーブルを通す。
【００１５】
周方向リブ３８にはダストシールドにおいて、かつリールに対して概ね接線方向に該ダストシールドの外面に周方向開口３７が設けられている。ダストシールドのリブは休止位置では実線で、作動位置では点線で示している。ダストシールドはリール上で回転自在であり、その運動はハウジングの部分とリブを係合させることにより制限される。開口３９がケーブルの内端をリールへ最初に挿入するために設けられている。ハウジングにケーブル１７に対する空隙スロット４０が設けられており、ケーブル装具１８が図４の実線と鎖線位置との間で運動出来るようにしている。
【図面の簡単な説明】
【図１】  キー用引き込み装置をベルト上に担持した作業者を示す図である。
【図２】  図１の円２の装置の拡大図である。
【図３】  図２の線３−３に沿って見た拡大図である。
【図４】  図３の線４−４に沿って見た拡大断面図である。
【図５】  図４の線５−５に沿って見た部分断面図である。
【図６】  図２に示す装置の引き込んだ状態の右側から見た図である。
【図７】  ダストシールドの側面図である。
【図８】  図７に示すダストシールドの端面図である。
【図１】
0004017341.tif 000002
【図２】
0004017341.tif 000003
【図３】
0004017341.tif 000004
【図４】
0004017341.tif 000005
【図５】
0004017341.tif 000006
【図６】
0004017341.tif 000007
【図７】
0004017341.tif 000008
【図８】
0004017341.tif 000009